(57)【要約】【課題】  屋内無線装置（ＩＤＵ）と屋外無線装置（ＯＤＵ）とをケーブルで接続して構成される送受信装置で、ケーブルロスに関する補正を精度良く行う。【解決手段】  ＩＤＵ１は、所定のレベルで送信信号を出力し、送信信号のレベルを可変なレベル変化量で変化させ、ＯＤＵ２へ送信する。ＯＤＵは、受信した送信信号のレベルを検出してＩＤＵへ通知する。ＩＤＵは、通知されたレベルに基づいてレベル変化量を制御する。ＯＤＵは、無線受信した受信信号のレベルを所定のレベルに制御して可変なレベル変化量で変化させ、ＩＤＵへ送信する。ＩＤＵは、受信した受信信号のレベルを検出してＯＤＵへ通知する。ＯＤＵは、通知されたレベルに基づいてレベル変化量を制御する。【選択図】  図１
2007096837.tif 000002
【特許請求の範囲】
【請求項１】
屋内無線装置と屋外無線装置とをケーブルで接続して構成される送受信装置において、
前記屋内無線装置は、所定のレベルで送信信号を出力する出力手段と、前記出力手段により出力された送信信号のレベルを可変なレベル変化量で変化させる第１のレベル変化手段を備え、前記第１のレベル変化手段によりレベルが変化させられた送信信号を前記ケーブルを介して前記屋外無線装置へ送信し、
前記屋外無線装置は、前記屋内無線装置から前記ケーブルを介して受信された送信信号を無線により送信する無線送信手段と、前記屋内無線装置から前記ケーブルを介して受信された送信信号のレベルを検出する第１のレベル検出手段と、前記第１のレベル検出手段により検出されたレベルを前記ケーブルを介して前記屋内無線装置へ通知する第１の通知手段を備え、
前記屋内無線装置は、前記屋外無線装置から前記ケーブルを介して通知されたレベルに基づいて前記第１のレベル変化手段におけるレベル変化量を制御する第１の制御手段を備え、
前記屋外無線装置は、無線により信号を受信する無線受信手段と、前記無線受信手段による受信信号のレベルを所定のレベルに制御するレベル制御手段と、前記レベル制御手段によりレベルが制御された受信信号のレベルを可変なレベル変化量で変化させる第２のレベル変化手段を備え、前記第２のレベル変化手段によりレベルが変化させられた受信信号を前記ケーブルを介して前記屋内無線装置へ送信し、
前記屋内無線装置は、前記屋外無線装置から前記ケーブルを介して受信された受信信号を受信処理する受信処理手段と、前記屋外無線装置から前記ケーブルを介して受信された受信信号のレベルを検出する第２のレベル検出手段と、前記第２のレベル検出手段により検出されたレベルを前記ケーブルを介して前記屋外無線装置へ通知する第２の通知手段を備え、
前記屋外無線装置は、前記屋内無線装置から前記ケーブルを介して通知されたレベルに基づいて前記第２のレベル変化手段におけるレベル変化量を制御する第２の制御手段を備えた、
ことを特徴とする送受信装置。
【請求項２】
請求項１に記載の送受信装置において、
前記屋内無線装置は、ＡＳＫ方式により制御信号を前記ケーブルを介して通信する第１のＡＳＫ通信手段を備え、
前記屋外無線装置は、ＡＳＫ方式により制御信号を前記ケーブルを介して通信する第２のＡＳＫ通信手段を備え、
前記屋内無線装置の前記第１のＡＳＫ通信手段と前記屋外無線装置の前記第２のＡＳＫ通信手段との間で行われる制御信号の通信を用いて、前記屋外無線装置の前記第１の通知手段による通知及び前記屋内無線装置の前記第２の通知手段による通知を実行する、
ことを特徴とする送受信装置。
【発明の詳細な説明】
【技術分野】
【０００１】
本発明は、屋内無線装置（ＩＤＵ：Ｉｎ  Ｄｏｏｒ  Ｕｎｉｔ）と屋外無線装置（ＯＤＵ：Ｏｕｔ  Ｄｏｏｒ  Ｕｎｉｔ）との間をケーブルを介して接続して構成される送受信装置に関し、特に、当該ケーブルにおけるケーブルロスに関する補正を精度良く行う送受信装置に関する。
【背景技術】
【０００２】
例えば、ＦＷＡ（Ｆｉｘｅｄ  Ｗｉｒｅｌｅｓｓ  Ａｃｃｅｓｓ）などと呼ばれる加入者系無線アクセスシステムでは、基地局装置と複数の加入者の端末局装置との間で無線により信号を通信することが行われる。基地局装置や端末局装置は、例えば、ＩＤＵ（屋内無線装置）とＯＤＵ（屋外無線装置）とを同軸ケーブルを介して接続して構成することが可能である。
【０００３】
図４には、ＩＤＵとＯＤＵから構成された送受信装置を有する無線通信システムの構成例を示してある。
それぞれの送受信装置が、ＩＤＵ５１、５４とＯＤＵ５２、５５との間を１本の同軸ケーブル５３、５６で接続して、構成されている。
それぞれの送受信装置では、ＩＤＵ５１、５４から送信された信号が同軸ケーブル５３、５６を通ってＯＤＵ５２、５５へ入力されて無線により送信され、ＯＤＵ５２、５５で無線受信した信号が同軸ケーブル５３、５６を通ってＩＤＵ５１、５４へ入力される。
送受信装置を設計する際には、同軸ケーブル５３、５６での減衰量は一定であるとして、ＯＤＵ５２、５５には任意のレベルの信号が入力されるものとしている。
【０００４】
しかしながら、同軸ケーブル５３、５６の長さはＩＤＵ５１、５４とＯＤＵ５２、５５の設置場所によって変動するため、常に一定の長さとはならない。また、同軸ケーブル５３、５６では、ケーブル長によって、信号の減衰量が変化する。一般的に、同軸ケーブル５３、５６による信号の減衰量は、ケーブルの長さに比例して大きくなる。このため、ケーブル長が長くなるとＯＤＵ５２、５５に入力される信号のレベルが設計値のレベルより小さくなってしまう、若しくは、ケーブル長が短くなるとＯＤＵ５２、５５に入力される信号のレベルが設計値のレベルより大きくなってしまうといった現象が生じる。
【０００５】
そこで、同軸ケーブル５３、５６の長さによらずに、ＯＤＵ５２、５５に入力される信号のレベルを一定にするために、同軸ケーブル５３、５６での減衰量を加味してＩＤＵ５１、５４からの送信信号のレベルを補正する必要がある。
本明細書では、ＩＤＵとＯＤＵとの間の同軸ケーブルでの減衰量を測定して、IDUからＯＤＵへの信号又はＯＤＵからＩＤＵへの信号のレベルを補正する処理をケーブルロス補正処理と言う。
ケーブルロス補正処理の一例として、実際に使用する同軸ケーブルの減衰量を測定し、その減衰量分だけＩＤＵからの送信信号のレベルを大きくする方法が考えられる。しかしながら、同軸ケーブルの長さは、送受信装置の設置場所でなければわからず、予め測定することはできない。また、同軸ケーブルの長さを設置場所で測定するにしても、設置状況によっては減衰量の測定が困難な場合もある。
【０００６】
そこで、ケーブルロス補正処理の他の一例として、同軸ケーブルでの減衰量を測定し、ＩＤＵの送信部の出力端に挿入したアッテネータの減衰量を調整してＩＤＵから送信する信号の電力を補正する方法が考えられる。
図５には、このようなケーブルロス補正処理を行う送受信装置の構成例を示してある。
本例の送受信装置は、ＩＤＵ６１とＯＤＵ６２とを同軸ケーブル６３で接続して、構成されている。
ＩＤＵ６１は、送信部７１と、アッテネータ７２と、ＴＤＤスイッチ７３と、ＡＳＫ変復調部７４と、受信部７５と、制御部７６を備えている。
ＯＤＵ６２は、ＴＤＤスイッチ８１と、電力検出部８２と、送信系８３と、ＴＤＤスイッチ８４と、受信系８５と、アッテネータ８６と、ＡＳＫ変復調部８７と、アンテナ８８を備えている。
なお、図５に示される構成例では、復信方式をＴＤＤ（Ｔｉｍｅ  Ｄｉｖｉｓｉｏｎ  Ｄｕｐｌｅｘ）方式としているが、例えば、ＦＤＤ（Ｆｒｅｑｕｅｎｃｙ  Ｄｉｖｉｓｉｏｎ  Ｄｕｐｌｅｘ）方式とした場合には、ＴＤＤスイッチ７３、８１、８４をデュプレクサに変更して、他の部分は同様となる。
【０００７】
ＩＤＵ６１では、送信部７１の出力端にアッテネータ７２を挿入してあり、アッテネータ７２の減衰量は制御部７６から調整できるようになっている。
また、ＩＤＵ６１とＯＤＵ６２との間の通信を行うために、制御情報などをＡＳＫ（Ａｍｐｌｉｔｕｄｅ  Ｓｈｉｆｔ  Ｋｅｙｉｎｇ）信号へ変換して送信するとともにＯＤＵ６２から受信したＡＳＫ信号を復調するためのＡＳＫ変復調部７４を実装してある。
ＡＳＫ信号は、対向側の送受信装置に対して送信する信号若しくは対向側の送受信装置から受信した信号に重畳し、同軸ケーブル６３によってＩＤＵ６１とＯＤＵ６２との間で通信される。ＡＳＫ信号としては、ＩＤＵ６１とＯＤＵ６２との間での送信或いは受信に使用する周波数とは異なる周波数の信号を用いることにより、対向側の送受信装置との通信信号に干渉などの影響を与えないようにすることができる。
【０００８】
図６には、図５に示される送受信装置により行われるケーブルロス補正処理のフローチャートを示してある。
ケーブルロス補正処理では、初めに電源投入若しくはシステムリセットが行われ（ステップＳ２１）、その後、アッテネータ７２に初期値を設定し、ＴＤＤスイッチ７３を送信側に固定する（ステップＳ２２）。次いで、ＩＤＵ６１の送信部７１から任意の周波数の正弦波信号を送信することを開始する（ステップＳ２３）。ＩＤＵ６１から送信された正弦波信号は、同軸ケーブル６３を通り、ＯＤＵ６２へ入力される。
ＯＤＵ６２に入力された正弦波信号は電力検出部８２に入力され、送信信号のレベルの検出が行われる（ステップＳ２４）。レベルの検出としては、ｌｏｇアンプを用いて包絡線検波で検出する方法が一般的である。検出されたレベルは、ＡＳＫ変復調部８７に通知され、レベル情報としてＡＳＫ信号を用いてＩＤＵ６１へ通知される（ステップＳ２５）。
【０００９】
ＩＤＵ６１では、通知されたＡＳＫ信号を復調し、ＯＤＵ６２で検出されたレベル情報を制御部７６へ通知する。制御部７６では、通知されたレベルと本来ＯＤＵ６２に入力されるべきレベルとを比較し、これらの差（規定のレベル−検出したレベル）を算出する（ステップＳ２６）。制御部７６は、算出した差がプラスであればアッテネータ７２の減衰量を小さくし（ステップＳ２７）、算出した差がマイナスであればアッテネータ７２の減衰量を大きくする（ステップＳ２８）。
【００１０】
例えば、送信部７１の出力レベルを１０ｄＢｍ、ＯＤＵ６２に入力する規定の電力値を−１０ｄＢｍと設計し、アッテネータ７２の減衰量の初期値を２０ｄＢとした時に、ＯＤＵ６２の電力検出部８２で検出したレベルが−１７ｄＢｍであったとする。この場合、ＩＤＵ６１の制御部７６にはＯＤＵ６２から検出値が−１７ｄＢｍであることが通知され、これを規定の電力値−１０ｄＢｍと比較して、差が７ｄＢであることを算出する。差がプラスであるため、アッテネータ７２の減衰量を２０ｄＢから７ｄＢ小さい１３ｄＢとする。これにより、ＩＤＵ６１から送信されるレベルは７ｄＢ高くなり、ＯＤＵ６２に入力される電力値も７ｄＢ高い−１０ｄＢｍとなり、ＯＤＵ６２の規定の入力レベルとなる。
また、逆に、ＯＤＵ６２の電力検出部８２で検出したレベルが−６ｄＢｍであるとすると、ＩＤＵ６１の制御部７６により、差が−４ｄＢであることが算出される。この場合、差がマイナスであるため、アッテネータ７２の減衰量を２０ｄＢから４ｄＢ大きい２４ｄＢとする。
【００１１】
アッテネータ７２の減衰量を調整した後、ＯＤＵ６２では、再度電力検出部８２でレベルを検出し（ステップＳ２４）、検出値をＩＤＵ６１へ通知する（ステップＳ２５）。ＩＤＵ６１の制御部７６は、検出値と規定値との差を算出し（ステップＳ２６）、差が０でなければアッテネータ７２の減衰量を再度調整する（ステップＳ２７、ステップＳ２８）。差が０であれば、ＩＤＵ６１は、アッテネータ７２の減衰量をＯＤＵ６２へ通知する（ステップＳ２９）。
ＯＤＵ６２では、通知された減衰量をアッテネータ８６に設定する（ステップＳ３０）。
上記の設定が終了した後、ＩＤＵ７１の送信部７１では、正弦波の送信を停止し、送信側に固定されたＴＤＤスイッチ７３を解除して（ステップＳ３１）、ケーブルロス補正処理を終了する（ステップＳ３２）。そして、送受信装置は、対向側の送受信装置と通信するために、通常の処理へ移行する（ステップＳ３３）。
【００１２】
なお、実際には、送信電力誤差や検出誤差などを加味して、プラスマイナス（±）１ｄＢ程度のマージンを設け、検出値と規定値との差がこの範囲内に収まれば、差が０となったと判定して処理を終了する。このようなマージンは、送受信装置によって、任意に決定される。
上記のように、送受信装置では、電源投入若しくはシステムリセットの後に、ＩＤＵ６１の送信部７１から任意の周波数の信号をＯＤＵ６２へ送信し、ＯＤＵ６２でこのレベルの検出が行われ、そして、この検出レベルと本来入力されるべき設計値のレベルとを比較して、その差に応じてアッテネータ７２による減衰量の大小を決め、比較の差が任意の範囲に収まるまでアッテネータ７２の設定を変えることが行われる。このように、送受信装置では、対向側との通信を開始する前に、正弦波を出力して、ケーブルロス補正処理を行うことにより、同軸ケーブル６３の長さに関わらず、ＯＤＵ６２の入力レベルが常に一定となる。
【００１３】
【特許文献１】特開２００２−２９０２６３号公報
【発明の開示】
【発明が解決しようとする課題】
【００１４】
しかしながら、上述のような送受信装置では、電源投入若しくはシステムリセットの後、通信開始前に、一度だけアッテネータ７２の減衰量を調整するだけであるため、例えば、外気温による温度変化や使用している部品の経年変化によって送信レベルに変動があった場合や、同軸ケーブル６３の減衰量に変動があった場合などには、送受信装置のレベルが変動した状態のまま処理が行われてしまうといった問題があった。また、再度ケーブルロス補正処理を行うためには、運用中の通信システムを停止させなければならないといった問題があった。また、送信信号でレベル検出した結果を受信側のアッテネータ８６に適用しているため、経年変化などにより送受信でレベルの差異が生じた場合には、正確に補正することができないといった問題があった。
本発明は、このような従来の課題を解決するために為されたもので、屋内無線装置（ＩＤＵ）と屋外無線装置（ＯＤＵ）との間を接続するケーブルにおけるケーブルロスに関する補正を精度良く行うことができる送受信装置を提供することを目的とする。
【課題を解決するための手段】
【００１５】
上記目的を達成するため、本発明に係る送受信装置では、屋内無線装置と屋外無線装置とをケーブルで接続して構成され、次のような処理を行う。
すなわち、前記屋内無線装置では、出力手段が所定のレベルで送信信号を出力し、第１のレベル変化手段が前記出力手段により出力された送信信号のレベルを可変なレベル変化量で変化させる。そして、前記第１のレベル変化手段によりレベルが変化させられた送信信号を前記ケーブルを介して前記屋外無線装置へ送信する。
前記屋外無線装置では、無線送信手段が前記屋内無線装置から前記ケーブルを介して受信された送信信号を無線により送信し、第１のレベル検出手段が前記屋内無線装置から前記ケーブルを介して受信された送信信号のレベルを検出し、第１の通知手段が前記第１のレベル検出手段により検出されたレベルを前記ケーブルを介して前記屋内無線装置へ通知する。
前記屋内無線装置では、第１の制御手段が、前記屋外無線装置から前記ケーブルを介して通知されたレベルに基づいて、前記第１のレベル変化手段におけるレベル変化量を制御する。
【００１６】
また、前記屋外無線装置では、無線受信手段が無線により信号を受信し、レベル制御手段が前記無線受信手段による受信信号のレベルを所定のレベルに制御し、第２のレベル変化手段が前記レベル制御手段によりレベルが制御された受信信号のレベルを可変なレベル変化量で変化させる。そして、前記第２のレベル変化手段によりレベルが変化させられた受信信号を前記ケーブルを介して前記屋内無線装置へ送信する。
前記屋内無線装置では、受信処理手段が前記屋外無線装置から前記ケーブルを介して受信された受信信号を受信処理し、第２のレベル検出手段が前記屋外無線装置から前記ケーブルを介して受信された受信信号のレベルを検出し、第２の通知手段が前記第２のレベル検出手段により検出されたレベルを前記ケーブルを介して前記屋外無線装置へ通知する。
前記屋外無線装置では、第２の制御手段が、前記屋内無線装置から前記ケーブルを介して通知されたレベルに基づいて、前記第２のレベル変化手段におけるレベル変化量を制御する。
【００１７】
従って、屋内無線装置から屋外無線装置へ送信される送信信号のレベルが屋外無線装置で検出されて屋内無線装置へ通知され、当該通知内容に基づいて屋内無線装置からの送信信号のレベルが制御され、また、屋外無線装置から屋内無線装置へ送信される受信信号のレベルが屋内無線装置で検出されて屋外無線装置へ通知され、当該通知内容に基づいて屋外無線装置からの受信信号のレベルが制御されるため、例えば、温度変化や経年変化があるような場合においても、屋内無線装置と屋外無線装置との間を接続するケーブルにおけるケーブルロスに関する補正を精度良く行うことができる。
【００１８】
ここで、屋内無線装置や、屋外無線装置や、ケーブルとしては、それぞれ、種々なものが用いられてもよい。
また、屋内無線装置の出力手段は、例えば、一定のレベルで送信信号を出力する。
また、レベルとしては、例えば、電力のレベルや、振幅のレベルなど、種々なものが用いられてもよい。
また、第１のレベル変化手段や第２のレベル変化手段としては、例えば、信号のレベルを可変な減衰量で減衰させる可変減衰器などから構成されてもよく、或いは、信号のレベルを可変な利得（増幅率）で増幅する可変増幅器などから構成されてもよい。
また、第１の制御手段や第２の制御手段が通知されたレベルに基づいてレベル変化量を制御する態様としては、種々な態様が用いられてもよく、例えば、通知されるレベル（或いは、検出されるレベル）が所定の一定のレベルに保持されるように制御する態様を用いることができる。
また、屋外無線装置のレベル制御手段は、例えば、受信信号のレベルを一定のレベルに制御する。
また、送信信号としては送受信装置から他の装置へ送信する対象となる信号が用いられ、受信信号としては他の装置から送信されて送受信装置により受信された信号が用いられる。
【００１９】
本発明に係る送受信装置では、一構成例として、次のような構成とした。
すなわち、前記屋内無線装置は、ＡＳＫ方式により制御信号を前記ケーブルを介して通信する第１のＡＳＫ通信手段を備えた。また、前記屋外無線装置は、ＡＳＫ方式により制御信号を前記ケーブルを介して通信する第２のＡＳＫ通信手段を備えた。
そして、前記屋内無線装置の前記第１のＡＳＫ通信手段と前記屋外無線装置の前記第２のＡＳＫ通信手段との間で行われる制御信号の通信を用いて、前記屋外無線装置の前記第１の通知手段による通知及び前記屋内無線装置の前記第２の通知手段による通知を実行する。
【００２０】
従って、屋内無線装置と屋外無線装置との間で通信される送信信号や受信信号とは独立して、ＡＳＫ方式により制御信号を通信することにより、送信信号や受信信号の通信中においても、検出したレベルの通知を行うことができ、送信信号や受信信号に基づいてレベルの制御を行うことができる。
ここで、例えば、制御信号は送信信号や受信信号と重畳されてケーブルを伝送し、この場合、制御信号と送信信号や受信信号とが干渉しないように、制御信号の周波数と送信信号或いは受信信号の周波数とを異ならせることなどが行われる。また、例えば、屋内無線装置から屋外無線装置へ伝送される制御信号の周波数と、屋外無線装置から屋内無線装置へ伝送される制御信号の周波数とを異ならせることなどにより、これら両方向の制御信号が同時に伝送されるときにおける干渉を防止することができる。
【発明の効果】
【００２１】
以上説明したように、本発明に係る送受信装置によると、屋内無線装置と屋外無線装置とをケーブルで接続して構成され、屋外無線装置が屋内無線装置からケーブルを介して入力した送信信号のレベルを検出して当該検出レベルを屋内無線装置へ通知して、屋内無線装置が当該通知レベルに基づいて送信信号に対するレベル変化量を制御し、また、屋内無線装置が屋外無線装置からケーブルを介して入力した受信信号のレベルを検出して当該検出レベルを屋外無線装置へ通知して、屋外無線装置が当該通知レベルに基づいて受信信号に対するレベル変化量を制御するようにしたため、例えば、温度変化や経年変化があるような場合においても、屋内無線装置と屋外無線装置との間を接続するケーブルにおけるケーブルロスに関する補正を精度良く行うことができる。
【発明を実施するための最良の形態】
【００２２】
本発明に係る実施例を図面を参照して説明する。
【実施例１】
【００２３】
本発明の第１実施例を説明する。
図１には、本発明の一実施例に係る送受信装置の構成例を示してある。
本例の送受信装置は、復信をＴＤＤ方式とした場合のものであり、ＩＤＵ（屋内無線装置）１とＯＤＵ（屋外無線装置）２とを同軸ケーブル３で接続して、構成されている。
ＩＤＵ１は、送信部１１と、ＡＳＫ変復調部１２と、制御部１３と、アッテネータ１４と、ＴＤＤスイッチ１５と、電力検出部１６と、受信部１７を備えている。
ＯＤＵ２は、ＴＤＤスイッチ２１と、電力検出部２２と、送信系２３と、ＴＤＤスイッチ２４と、受信系２５と、ＡＧＣ（Ａｕｔｏｍａｔｉｃ  Ｇａｉｎ  Ｃｏｎｔｒｏｌ）部２６と、アッテネータ２７と、制御部２８と、ＡＳＫ変復調部２９と、アンテナ３０を備えている。
【００２４】
ＩＤＵ１において行われる動作について説明する。
送信部１１は、送信信号をアッテネータ１４へ出力する。
アッテネータ１４は、可変な減衰量で、送信部１１から入力される送信信号のレベルを調整して、レベル調整後の送信信号をＴＤＤスイッチ１５を介してＯＤＵ２へ出力する。
ＴＤＤスイッチ１５は、同軸ケーブル３と接続されており、アッテネータ１４から同軸ケーブル３への送信信号と、同軸ケーブル３から電力検出部１６及び受信部１７への受信信号とを時分割で切り替える。なお、ＴＤＤスイッチ１５は、例えば、制御部１３などから出力されるＴＤＤ切替信号により制御される。
受信部１７は、ＯＤＵ２から同軸ケーブル３及びＴＤＤスイッチ１５を介して入力された受信信号を受信処理して復号する。
電力検出部１６は、ＯＤＵ２から同軸ケーブル３及びＴＤＤスイッチ１５を介して入力された受信信号のレベルを検出し、当該検出結果を制御部１３へ出力する。
【００２５】
制御部１３は、電力検出部１６から通知されるレベルを情報データとしてＡＳＫ変復調部１２へ出力する。
ＡＳＫ変復調部１２は、ＴＤＤスイッチ１５と同軸ケーブル３との間に接続されており、制御部１３から入力される情報データをＡＳＫ変調して同軸ケーブル３へ出力する。これにより、ＩＤＵ１で検出された受信信号のレベルが、制御情報としてＡＳＫ変調されて、ＯＤＵ２へ通知される。
また、ＡＳＫ変復調部１２は、ＯＤＵ２から送信されたＡＳＫ信号を同軸ケーブル３を介して入力し、入力したＡＳＫ信号を復調して、当該復調結果を制御部１３へ出力する。この復調結果には、ＯＤＵ２で検出された送信信号のレベルの情報が含まれる。
制御部１３は、ＡＳＫ変復調部１２から入力される復調結果に基づいて、ＯＤＵ２から通知された当該ＯＤＵ２で検出されたレベルを検出し、当該レベルに基づいてアッテネータ１４の減衰量を調整する。
【００２６】
ＯＤＵ２において行われる動作について説明する。
ＴＤＤスイッチ２１は、同軸ケーブル３と接続されており、アッテネータ２７から同軸ケーブル３への受信信号と、同軸ケーブル３から電力検出部２２及び送信系２３への送信信号とを時分割で切り替える。なお、ＴＤＤスイッチ２１は、例えば、制御部２８などから出力されるＴＤＤ切替信号により制御される。
送信系２３は、ＩＤＵ１から同軸ケーブル３及びＴＤＤスイッチ２１を介して入力された送信信号を増幅や周波数変換して規定のレベルの無線周波数信号へ変換し、当該無線周波数信号をＴＤＤスイッチ２４へ出力する。
電力検出部２２は、ＩＤＵ１から同軸ケーブル３及びＴＤＤスイッチ２１を介して入力された送信信号のレベルを検出し、当該検出結果を制御部２８へ出力する。
【００２７】
ＴＤＤスイッチ２４は、アンテナ３０と接続されており、送信系２３からアンテナ３０への送信信号と、アンテナ３０から受信系２５への受信信号とを時分割で切り替える。なお、ＴＤＤスイッチ２４は、例えば、制御部２８などから出力されるＴＤＤ切替信号により制御される。
アンテナ３０は、送信系２３からＴＤＤスイッチ２４を介して入力された送信信号を無線により送信し、また、無線により受信した信号（受信信号）をＴＤＤスイッチ２４を介して受信系２５へ出力する。なお、本例の送受信装置は、対向側となる同様な送受信装置などの任意の無線通信装置との間で無線通信する。
【００２８】
受信系２５は、対向側から無線送信されてきてアンテナ３０により受信された無線周波数信号（受信信号）を受信処理により周波数変換や帯域制限して、ＡＧＣ部２６へ出力する。
ＡＧＣ部２６は、受信信号について自動利得制御を行う機能を有しており、受信系２５から入力された受信信号を所定の一定のレベルに制御して、アッテネータ２７へ出力する。これにより、ＡＧＣ部２６に入力されるまでの受信信号のレベル変動を抑制して一定レベルにすることができる。
アッテネータ２７は、可変な減衰量で、ＡＧＣ部２６から入力される受信信号のレベルを調整して、レベル調整後の受信信号をＴＤＤスイッチ２１を介してＩＤＵ１へ出力する。
【００２９】
制御部２８は、電力検出部２２から通知されるレベルを情報データとしてＡＳＫ変復調部２９へ出力する。
ＡＳＫ変復調部２９は、ＴＤＤスイッチ２１と同軸ケーブル３との間に接続されており、制御部２８から入力される情報データをＡＳＫ変調して同軸ケーブル３へ出力する。これにより、ＯＤＵ２で検出された送信信号のレベルが、制御情報としてＡＳＫ変調されて、ＩＤＵ１へ通知される。
また、ＡＳＫ変復調部２９は、ＩＤＵ１から送信されたＡＳＫ信号を同軸ケーブル３を介して入力し、入力したＡＳＫ信号を復調して、当該復調結果を制御部２８へ出力する。この復調結果には、ＩＤＵ１で検出された受信信号のレベルの情報が含まれる。
制御部２８は、ＡＳＫ変復調部２９から入力される復調結果に基づいて、ＩＤＵ１から通知された当該ＩＤＵ１で検出されたレベルを検出し、当該レベルに基づいてアッテネータ２７の減衰量を調整する。
【００３０】
図２には、本例の送受信装置により行われるケーブルロス補正処理のフローチャートを示してある。
電源が投入された後に若しくは送受信装置がリセットされた時に（ステップＳ１）、ＩＤＵ１及びＯＤＵ２において制御部１３、２８によりアッテネータ１４、２７に対して初期値として任意の減衰量が設定される（ステップＳ２）。初期値設定後、送受信装置は、対向側の送受信装置などとの間で通信を開始する（ステップＳ３）。
【００３１】
まず、送信信号のケーブルロス補正処理について説明する。
ＩＤＵ１の送信部１１は、常に一定のレベルで送信信号を出力する。送信部１１から出力された送信信号は、アッテネータ１４で減衰され、ＴＤＤスイッチ１５を通ってＩＤＵ１から送信される。送信された信号は、同軸ケーブル３を通ってＯＤＵ２へ入力される。
ＯＤＵ２に入力された送信信号は、ＴＤＤスイッチ２１を通って電力検出部２２と送信系２３に入力される。電力検出部２２では、ＯＤＵ２に入力された送信信号からレベル（以下で、ＯＤＵ入力レベルと言う）を検出する（ステップＳ４）。ＯＤＵ入力レベルの検出方法としては、例えば、ｌｏｇアンプを用いた包絡線検波による一般的な方法を用いる。
電力検出部２２で検出したＯＤＵ入力レベルは、制御部２８へ通知される。制御部２８は、通知されたＯＤＵ入力レベルを制御情報としてＩＤＵ１へ通知するためにＡＳＫ変復調部２９へデータとして出力する。ＡＳＫ変復調部２９は、通知されたデータをＡＳＫ変調してＩＤＵ１へ送信する（ステップＳ５）。
【００３２】
ＩＤＵ１のＡＳＫ変復調部１２は、ＯＤＵ２から送信されたＡＳＫ信号を復調し、復調したデータを制御部１３へ通知する。制御部１３は、ＯＤＵ入力レベルと、ＯＤＵ２に入力されるべき規定のレベル（以下で、ＯＤＵ規定入力レベルと言う）との比較判定を行う。ODU規定入力レベルは、例えば、設計時に決定される値であり、制御部１３を構成するメモリなどに保持しておく。
本例では、比較判定処理として、ＯＤＵ規定入力レベルからＯＤＵ入力レベルを減じた差を算出する（ステップＳ６）。算出した結果がプラスの数値であればＩＤＵ１のアッテネータ１４の減衰量をその数値分小さくし（ステップＳ７）、算出した結果がマイナスであればＩＤＵ１のアッテネータ１４の減衰量をその数値分大きくする（ステップＳ８）。また、算出した結果が０であれば、現状のアッテネータ１４の減衰量を保持する（ステップＳ９）。
【００３３】
このようにアッテネータ１４の減衰量を調整することにより、ＩＤＵ１からＯＤＵ２に入力される送信信号のレベルがＯＤＵ規定入力レベルへと近付いていき、最終的にはＯＤＵ規定入力レベルへと達する。
上記の処理の後に、送受信装置の電源オフやシステムリセットがなければ（ステップＳ１０）、ＯＤＵ２により送信信号のレベルを検出して通知する処理（ステップＳ４、ステップＳ５）からＩＤＵ１のアッテネータ１４の減衰量を調整する処理（ステップＳ６〜ステップＳ９）を繰り返して行う。これにより、温度変化などによって同軸ケーブル３の減衰量が変動した場合や、ＩＤＵ１の送信部１１の送信レベルが変動した場合などにおいても、常にＯＤＵ入力レベルを一定に保持するように追従することができる。
なお、電源オフやシステムリセットがあった場合には（ステップＳ１０）、ケーブルロス補正処理を終了する（ステップＳ１１）。
【００３４】
次に、受信信号のケーブルロス補正処理について説明する。
ＯＤＵ２のアンテナ３０で受信した対向側の送受信装置などからの受信信号は、ＴＤＤスイッチ２４を通って受信系２５に入力される。受信系２５は受信信号の周波数変換などを行い、その後、受信信号が一定のレベルとなるようにＡＧＣ部２６により増幅される。なお、本例では、ＯＤＵ２から常に一定のレベルで受信信号をＩＤＵ１へ出力するために、ＯＤＵ２にＡＧＣ部２６を実装している。
ＡＧＣ部２６で一定のレベルとされた受信信号は、アッテネータ２７を通ってＩＤＵ１へ出力される。
【００３５】
受信信号は同軸ケーブル３を通ってＩＤＵ１へ入力される。
ＩＤＵ１に入力された受信信号は、ＴＤＤスイッチ１５を通って、受信部１７と電力検出部１６へ入力される。受信部１７は、同期確立などの処理を行って、受信信号からデータを復号する。電力検出部１６は、ＩＤＵ１に入力された受信信号のレベル（以下で、ＩＤＵ入力レベルと言う）を検出する（ステップＳ１２）。ＩＤＵ入力レベルの情報は制御部１３へ通知され、制御部１３は通知されたＩＤＵ入力レベルを制御情報としてＯＤＵ２へ通知するためにＡＳＫ変復調部１２へデータとして出力する。ＡＳＫ変復調部１２は、入力されたデータをＡＳＫ変調してＯＤＵ２へ送信する（ステップＳ１３）。
【００３６】
ＩＤＵ１から送信されたＡＳＫ信号はＯＤＵ２のＡＳＫ変復調部２９で復調され、復調結果が制御部２８へ出力される。制御部２８は、復調されたデータつまりＩＤＵ入力レベルと、ＩＤＵ１に入力されるべき規定のレベル（以下で、ＩＤＵ規定入力レベルと言う）との比較判定を行う。ＩＤＵ規定入力レベルは、例えば、設計時に決定される値であり、制御部２８を構成するメモリなどに保持しておく。
本例では、比較判定処理として、ＩＤＵ規定入力レベルからＩＤＵ入力レベルを減じた差を算出する（ステップＳ１４）。算出した結果がプラスの数値であればＯＤＵ２のアッテネータ２７の減衰量をその数値分小さくし（ステップＳ１５）、算出した結果がマイナスであればＯＤＵ２のアッテネータ２７の減衰量をその数値分大きくする（ステップＳ１６）。また、算出した結果が０であれば、現状のアッテネータ２７の減衰量を保持する（ステップＳ１７）。
【００３７】
このようにアッテネータ２７の減衰量を調整することにより、ＯＤＵ２からＩＤＵ１に入力される受信信号のレベルがＩＤＵ規定入力レベルへと近付いていき、最終的にはＩＤＵ規定入力レベルへと達する。
上記の処理の後に、送受信装置の電源オフやシステムリセットがなければ（ステップＳ１８）、ＩＤＵ１により受信信号のレベルを検出して通知する処理（ステップＳ１２、ステップＳ１３）からＯＤＵ２のアッテネータ２７の減衰量を調整する処理（ステップＳ１４〜ステップＳ１７）を繰り返して行う。これにより、温度変化などによって同軸ケーブル３の減衰量が変動した場合や、ＯＤＵ２におけるレベルが変動した場合などにおいても、常にＩＤＵ入力レベルを一定に保持するように追従することができる。
なお、電源オフやシステムリセットがあった場合には（ステップＳ１８）、ケーブルロス補正処理を終了する（ステップＳ１９）。
【００３８】
本例では、ＩＤＵ１或いはＯＤＵ２において、それぞれ、ＯＤＵ入力レベル或いはＩＤＵ入力レベルの変動を監視して、アッテネータ１４、２７を調整するため、例えば、送受信でレベルの差異が生じたような場合においても、それぞれ個別に調整することにより、より正確にレベルを調整することができる。
なお、本例では、送信信号に基づいてＩＤＵ１のアッテネータ１４の減衰量を調整するケーブルロス補正処理はＩＤＵ１からＯＤＵ２へ送信信号が通信されるときに行われ、受信信号に基づいてＯＤＵ２のアッテネータ２７の減衰量を調整するケーブルロス補正処理はＯＤＵ２からＩＤＵ１へ受信信号が通信されるときに行われる。
【００３９】
以上のように、本例では、ＩＤＵ（屋内無線装置）１とＯＤＵ（屋外無線装置）２と同軸ケーブル３から構成される送受信装置が、対向側の送受信装置などとの間で１対１で無線通信を確立するシステムにおいて、送受信装置では次のような処理を行う。
すなわち、ＩＤＵ１からＯＤＵ２へ入力される対向側の送受信装置などへ送信するための送信信号のレベルを随時検出し、当該検出したレベルとＯＤＵ２へ入力されるべき規定のレベルとを随時比較判定し、当該比較判定の結果に基づいてＩＤＵ１における送信信号の減衰量を随時調整して、ＯＤＵ２へ入力する送信信号のレベルをＯＤＵ２へ入力されるべき規定のレベルに随時一致させる。これとともに、対向側の送受信装置などからの受信信号をＯＤＵ２のＡＧＣ部２６で一定のレベルとしてＩＤＵ１へ出力し、ＯＤＵ２からＩＤＵ１へ入力した受信信号のレベルを随時検出し、当該検出したレベルとＩＤＵ１へ入力されるべき規定のレベルとを随時比較判定し、当該比較判定の結果に基づいてＯＤＵ２からＩＤＵ１へ送信される受信信号の減衰量を随時調整して、ＩＤＵ１へ入力される受信信号のレベルをＩＤＵ１へ入力されるべき規定のレベルに随時一致させる。
【００４０】
具体的な構成例として、本例の送受信装置では、ＩＤＵ１からＯＤＵ２へ入力される送信信号のレベルを検出するＯＤＵ２の電力検出部２２と、ＯＤＵ２の電力検出部２２で検出されたレベルとＯＤＵ２へ入力されるべき規定のレベルとを比較判定した結果に基づいてＩＤＵ１のアッテネータ１４の減衰量を制御するＩＤＵ１の制御部１３と、ＩＤＵ１の送信部１１からの送信信号のレベルを調整するＩＤＵ１のアッテネータ１４を備え、また、無線受信した信号を一定のレベルでＩＤＵ１へ出力するためのＯＤＵ２のＡＧＣ部２６と、ＯＤＵ２からＩＤＵ１へ入力される受信信号のレベルを検出するＩＤＵ１の電力検出部１６と、ＩＤＵ１の電力検出部１６で検出されたレベルとＩＤＵ１へ入力されるべき規定のレベルとを比較判定した結果に基づいてＯＤＵ２のアッテネータ２７の減衰量を制御するＯＤＵ２の制御部２８と、ＯＤＵ２からＩＤＵ１へ出力する受信信号の減衰量を調整するＯＤＵ２のアッテネータ２７を備えた。また、ＩＤＵ１とＯＤＵ２との間で行われる制御情報の通信に用いるＩＤＵ１のＡＳＫ変復調部１２及びＯＤＵ２のＡＳＫ変復調部２９を備えた。
【００４１】
このように、本例では、送信信号のＯＤＵ入力レベル或いは受信信号のＩＤＵ入力レベルを常に監視するとともに、ＯＤＵ２或いはＩＤＵ１に入力されるべき規定の入力レベルをメモリに記憶させておき、検出レベルと規定レベルとの差に応じてアッテネータ１４、２７の減衰量を調整することを規定の入力レベルになるまで繰り返して行う。このような調整処理は、例えば、送受信装置の電源オフやシステムリセットが行われるまで繰り返して行われる。
【００４２】
従って、本例の送受信装置では、対向側との通信に用いている送信信号や受信信号を使用して、常にＯＤＵ入力レベルやＩＤＵ入力レベルを監視することにより、温度変化や経年変化などによる時間的な信号レベルの変動に追従することができ、これにより、同軸ケーブル３のケーブルロスや温度変化や装置の経年変化などを含む様々な要因に対して、信号レベルを自動的に補正することが可能である。
このため、本例の送受信装置では、無線通信の運用中にシステムを停止することなく、ＯＤＵ２の入力レベルとＩＤＵ１の入力レベルをそれぞれ一定のレベルに維持することができる。また、例えば、送受信でのレベルのばらつきが発生した場合においても正確に調整することができ、送受信のレベルをそれぞれ一定とすることができる。
このように、本例では、通常の通信信号である送信信号や受信信号を利用することにより、送受信装置の電源を遮断することなく、装置の状態の変化が生じた時に素早くアッテネータ１４、２７の減衰量を調整することが可能である。
【００４３】
なお、本例の送受信装置のＩＤＵ（屋内無線装置）１では、送信部１１の機能により出力手段が構成されており、アッテネータ１４の機能により第１のレベル変化手段が構成されており、ＡＳＫ変復調部１２の機能や制御部１３の機能により第１の制御手段が構成されており、受信部１７の機能により受信処理手段が構成されており、電力検出部１６の機能により第２のレベル検出手段が構成されており、制御部１３の機能やＡＳＫ変復調部１２の機能により第２の通知手段が構成されており、ＡＳＫ変復調部１２の機能により第１のＡＳＫ通信手段が構成されている。
また、本例の送受信装置のＯＤＵ（屋外無線装置）２では、送信系２３の機能やアンテナ３０の機能により無線送信手段が構成されており、電力検出部２２の機能により第１のレベル検出手段が構成されており、制御部２８の機能やＡＳＫ変復調部２９の機能により第１の通知手段が構成されており、アンテナ３０の機能や受信系２５の機能により無線受信手段が構成されており、ＡＧＣ部２６の機能によりレベル制御手段が構成されており、アッテネータ２７の機能により第２のレベル変化手段が構成されており、ＡＳＫ変復調部２９の機能や制御部２８の機能により第２の制御手段が構成されており、ＡＳＫ変復調部２９の機能により第２のＡＳＫ通信手段が構成されている。
【実施例２】
【００４４】
本発明の第２実施例を説明する。
図３には、本発明の一実施例に係る送受信装置の構成例を示してある。
本例の送受信装置は、復信をＦＤＤ方式とした場合のものであり、ＩＤＵ（屋内無線装置）１ａとＯＤＵ（屋外無線装置）２ａとを同軸ケーブル３で接続して、構成されている。
ここで、本例の送受信装置の構成は、図１に示される送受信装置の構成と比べて、ＩＤＵ１のＴＤＤスイッチ１５及びＯＤＵ２のＴＤＤスイッチ２１、２４がそれぞれデュプレクサ４１、４２、４３へ置き換えられている点を除いては、同様な構成を有している。
なお、説明の便宜上から、図３に示される本例の送受信装置では、図１に示されるのと同様な構成部分については、同一の符号を付してある。
【００４５】
本例で使用するＦＤＤ方式では、送信の周波数と受信の周波数とが異なるため、デュプレクサ４１、４２、４３により送信信号と受信信号を同時に通過させることが可能である。
本例の送受信装置においても、例えば、図２に示されるのと同様なケーブルロス補正処理を行うことにより、ＯＤＵ入力レベルとＩＤＵ入力レベルのそれぞれを一定に維持することが可能である。
【００４６】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４７】
【図１】本発明の第１実施例に係るＴＤＤ方式の送受信装置の構成例を示す図である。
【図２】本発明の一実施例に係るケーブルロス補正処理の手順の一例を示す図である。
【図３】本発明の第２実施例に係るＦＤＤ方式の送受信装置の構成例を示す図である。
【図４】無線通信システムの構成例を示す図である。
【図５】送受信装置の構成例を示す図である。
【図６】ケーブルロス補正処理の手順の一例を示す図である。
【符号の説明】
【００４８】
１、１ａ、５１、５４、６１・・屋内無線装置（ＩＤＵ）、  ２、２ａ、５２、５５、６２・・屋外無線装置（ＯＤＵ）、  ３、５３、５６、６３・・同軸ケーブル、  １１、７１・・送信部、  １２、２９、７４、８７・・ＡＳＫ変復調部、  １３、２８、７６・・制御部、  １４、７２・・アッテネータ、  １５、２１、２４、７３、８１、８４・・ＴＤＤスイッチ、  １６、２２、８２・・電力検出部、  １７、７５・・受信部、  ２３・・送信系、  ２５、８３、８５・・受信系、  ２６・・ＡＧＣ部、  ２７、８６・・アッテネータ、  ３０、８８・・アンテナ、  ４１〜４３・・デュプレクサ、
【図１】
2007096837.tif 000003
【図２】
2007096837.tif 000004
【図３】
2007096837.tif 000005
【図４】
2007096837.tif 000006
【図５】
2007096837.tif 000007
【図６】
2007096837.tif 000008